(57)【要約】      （修正有）【課題】中心軸に括れ部を有する半円弧状の凸管体を垂設させた凹凸ローラーのみからなる安価なもので、足裏や患部に当てて、自分で器具を転がすようにした回転マッサージ具とその製造方法を提供する。【解決手段】直管２の外周に、表面を樹脂コーティングし、円弧状表面でくぼみを有する凹凸ローラー４ａ，４ｂを複数嵌合し、前記凹凸ローラーの両側は該凹凸ローラーの径のやや大きい径を有し、表面を樹脂コーティングした円弧状表面を有する円弧状表面を有する平滑ローラーを嵌合して前記直管２の両端からプレス加工することにより前記凹凸ローラーと前記平滑ローラーが加締められた回転マッサージ具とその製造方法である。【選択図】図１
2013153809.tif 000002
【特許請求の範囲】
【請求項１】
直管の外表面に樹脂をコーティングした円弧状表面にくぼみを有する凹凸ローラーを複数嵌合し、前記凹凸ローラーの両側は該凹凸ローラーの径のやや大きい径を有し、表面を樹脂コーティングした円弧状表面を有する平滑ローラーを嵌合して前記直管の両端からプレス加工することにより前記凹凸ローラーと前記平滑ローラーがカシメたことを特徴とする回転マッサージ具。
【請求項２】
金属バットの製造設備と素材を利用し、直管はバットの平行部のパイプ素材を使用し、円弧状表面でくぼみを有する凹凸ローラーと円弧状表面を有する平滑ローラーはバットのグリップエンド部の外周素材を使用し、前記直管の外周に円弧状表面を有するローラーに凸片を押し当ててプレス加工をなして前記円弧状表面を有するローラーにくぼみを形成した後、前記くぼみを有する凹凸ローラー表面を樹脂コーティングする工程と、前記直管に円弧状表面を有する凹凸ローラーを複数嵌合する工程と、前記凹凸ローラーの両側に該凹凸ローラーの径のやや大きい径を有する円弧状表面を有する平滑ローラーの表面を樹脂コーティングする工程と、前記直管の両端から前記平滑ローラーをプレス加工することにより前記凹凸ローラーと平滑ローラーとをカシメて接合し一体に形成したことを特徴とする回転マッサージ具の製造方法。
【発明の詳細な説明】
【技術分野】
【０００１】
本発明はマッサージ具とその製造方法に係り、更に詳しくは、表面にくぼみを有する凹凸ローラーを足裏や患部に当てて、自力で器具を転がすことにより、マッサージを行なうようにした回転マッサージ具とその製造方法に関するものである。
【背景技術】
【０００２】
現在のマッサージ器具は、大型で高価なものが多く、そのために普及が遅れている。
【０００３】
回転ローラーによる足裏マッサージ具の先行技術は、いくつか紹介されている（例えば、特許文献１、特許文献２）。
【特許文献１】実開昭６１−１７１９２４号公報
【特許文献２】実登第３０５００９０号公報
【０００４】
特許文献１は、凸状やイボ状の突起のある回転ローラーを、基盤台上に配置したものである。特許文献２は、円筒表面に多数の半球状突起を設けたローラーを、ケ−シング上に配置したものである。
【０００５】
しかし、特許文献１と特許文献２は、基盤台やケ−シング上に配置されたもので、回転ローラー自体を使用者が回転させてマッサージをするものではない。
【発明の開示】
【発明が解決しようとする課題】
【０００６】
上記の事情に鑑み、本発明は、直管の外表面に樹脂をコーティングした円弧状表面にくぼみを有する凹凸ローラーを主体とするもので、足裏や患部に当てて、自分で器具を転がすようにした回転マッサージ具とその製造方法を課題とするものである。
【課題を解決するための手段】
【０００７】
本発明は上記目的を達成するために、直管の外表面に樹脂をコーティングした円弧状表面にくぼみを有する凹凸ローラーを複数嵌合し、前記凹凸ローラーの両側は該凹凸ローラーの径のやや大きい径を有し、表面を樹脂コーティングした円弧状表面を有する平滑ローラーを嵌合して前記直管の両端からプレス加工することにより前記凹凸ローラーと前記平滑ローラーがカシメられた回転マッサージ具を構成するものである。
【０００８】
また、本発明は上記目的を達成するために、金属バットの製造設備と素材を利用し、直管はバットの平行部のパイプ素材を使用し、円弧状表面でくぼみを有する凹凸ローラーと円弧状表面を有する平滑ローラーはバットのグリップエンド部の外周素材を使用し、前記直管の外周に円弧状表面を有するローラーに凸片を押し当ててプレス加工をなして前記円弧状表面を有するローラーにくぼみを形成した後、前記くぼみを有する凹凸ローラー表面を樹脂コーティングする工程と、前記直管に円弧状表面を有する凹凸ローラーを複数嵌合する工程と、前記凹凸ローラーの両側に該凹凸ローラーの径のやや大きい径を有する円弧状表面を有する平滑ローラーの表面を樹脂コーティングする工程と、前記直管の両端から前記平滑ローラーをプレス加工することにより前記凹凸ローラーと平滑ローラーとをカシメて接合し一体に形成した回転マッサージ具の製造方法を構成するものである。
【発明の効果】
【０００９】
本発明の回転マッサージ具を足裏や患部に当てて、自力で転がすと、電動式のマッサージ器と比べて、リハビリの効果や身体の運動機能の維持や向上に、より効果的なマッサージ効果が得られる。
【００１０】
本発明の回転マッサージ具は、安価に提供できる。
【００１１】
本発明の回転マッサージ具は、ローラーの表面に凹凸のくぼみを有しているが、両端にやや径の大きい平滑ローラーを配置しているので、転がしても床面上を傷つけることなく、スム−スな回転運動を行なうことができる。
【００１２】
本発明の回転マッサージ具は、本出願人の製造している金属バットの製造設備がそのまま有効に利用できる。
【発明を実施するための最良の形態】
【００１３】
次に本発明の回転マッサージ具につき実施例をあげて詳しく説明する。
【実施例１】
【００１４】
図１は、本発明の実施例１を示す回転マッサージ具の、正面からみた斜視図である。また図２は、中心部にある直管を両端から圧縮して、凹凸ローラーと平滑ローラーを前記直管にカシメる状態を示す説明図である。さらに図３は、半円弧状の凸管体からなる、本発明の回転マッサージ具の凹凸ローラーの説明図で、（イ）は平面図、（ロ）は（イ）をＡ−Ａ´線で切断した断面図である。さらにまた図４は、本発明の回転マッサージ具に足の裏を乗せてマッサージする状態を示した説明図である。
【００１５】
本実施例の回転マッサージ具１は、直径が約３ｃｍで長さが約２７ｃｍのアルミ合金製の直管２の外周に、表面にくぼみ３を有する凹凸ローラー４ａ，４ｂを複数嵌合している。なお本実施例の場合には、左右の凹凸ローラー４ａに各４個、中央の凹凸ローラー４ｂに２個の計１０個を配置し、その凹凸ローラーの各幅は約２ｃｍで最大径は約５ｃｍΦのものからなっている。この凹凸ローラー４ａ，４ｂは、円弧状表面に凹状のくぼみ３を有する。例えば、凹凸ローラー４ａ，４ｂは、金属製中空球体の軸に対して直角方向に中空球体の両端から一定長さだけ切断した截頭中空球体５からなるものである。その後凹凸ローラー４ａ，４ｂの表面を樹脂コーティング６したもので、左右４個の凹凸ローラー４ａは、濃色に塗装している。これは左右の足裏を、濃色の上に乗せるように配慮したものである。なお凹凸ローラー４ａ，４ｂは、図２のような内周を直管２が貫通した表面円弧状の中空体であって、表面に凹状のくぼみ３を、本実施例の場合は図３（ロ）のように１円周に５個プレス加工して配設している。
なお、凹凸ローラー４ａ，４ｂは、表面に凹状のくぼみ３を１円周に４個プレス加工して配設してもよく、全体を合成樹脂で直管２に一体成形してもよい。
【００１６】
そして凹凸ローラー４ａ，４ｂの両側は該凹凸ローラーの径のやや大きい径を有し、表面に樹脂をコーティングした円弧状表面を有する中空平滑ローラー７を嵌合し、この凹凸ローラー４ａ，４ｂの上に足の裏を乗せて前後に転がしても、図２のように、平滑ローラー７が凹凸ローラーの径のやや大きい径を有しているので、床面上Ｆを凹凸面で傷つけることなく、マッサージを行なえるようになっている。なお、平滑ローラー７は、全体を合成樹脂で直管２に一体成形してもよい。
例えば、平滑ローラー７は、金属製中空球体の軸に対して直角方向に中空球体の両端から一定長さだけ切断した截頭中空球管からなるものである。その後平滑ローラー７の表面を樹脂コーティング６したものである。なお、平滑ローラー７は、全体を合成樹脂で直管２に一体成形してもよい
【００１７】
本発明の回転マッサージ具１は、金属バットの製造設備と素材を利用して製造することができる。即ち、直管２は、バット平行部のパイプ素材を使用することができる。また、表面に凹状のくぼみを設けた円弧状の中空管体からなる凹凸ローラーと平滑ローラーは、バットのグリップエンド部の素材を使用することができる。
【００１８】
金属製直管２の外周に嵌合する凹凸ローラー４ａ，４ｂと両端の平滑ローラー７とは、図２のように、直管２を左右から圧縮Ｐして、カシメて一体に接合することができる。また凹凸ローラー４ａ，４ｂは、カシメて一体に接合する前に、凹状のくぼみ３は、外周から円弧状の凸片Ｔを押し当ててプレス加工して形成させることができる。円弧状表面を樹脂コーティングする工程の後に、前記金属製直管に円弧状表面でくぼみを有する凹凸ローラー４ａ，４ｂを複数嵌合する。
一方、凹凸ローラー４ａ，４ｂの径のやや大きい径を有する円弧状表面を有する平滑ローラー７の表面を樹脂コーティングし、金属製直管２に凹凸ローラー４ａ，４ｂと両端の平滑ローラー７とを嵌合し、金属製直管２の両端から前記平滑ローラーをプレス加工することにより凹凸ローラー４ａ，４ｂと平滑ローラー７をカシメて接合し一体に形成する。例えば、平滑ローラー７は、金属製中空球体の軸に対して直角方向に中空球体の両端から一定長さだけ切断した截頭中空球体からなるものである。
【００１９】
このようにして製造された回転マッサージ具１は、左右凹凸ローラー４ａの上に足裏ａを乗せて、器具を踏みながら前後に転がすＲと、凹凸ローラー４ａの表面の凹凸によって足裏が刺激され、心地よいマッサージの効果がえられる。
【実施例２】
【００２０】
図５は、本発明の回転マッサージ具を肩に乗せてマッサージする状態を示した説明図である。
【００２１】
このように、回転マッサージ具１を患部の肩ｋに乗せて、一端の平滑ローラー７を手ｈで持って軽く転がすと、肩ｋの表面は刺激され、心地よいマッサージの効果がえられる。
【実施例３】
【００２２】
図６は、本発明の回転マッサージ具を腰の患部に当ててマッサージする状態を示した説明図である。
【００２３】
このように、回転マッサージ具１の両端の平滑ローラー７を両手ｈで持って、腰部の患部に当てて器具を転がすと、腰の表面は刺激され、心地よいマッサージの効果がえられる。
【実施例４】
【００２４】
図７は、本発明の回転マッサージ具を腕の患部に当ててマッサージする状態を示した説明図である。
【００２５】
このように、回転マッサージ具１の一端を手ｈで持って、反対の腕Ｕの患部に当てて軽く転がすと、腕の表面は刺激され、心地よいマッサージの効果がえられる。
【実施例５】
【００２６】
図８は、本発明の回転マッサージ具を脹ら脛ｇの患部に当ててマッサージする状態を示した説明図である。
【００２７】
椅子に座って（図示せず）、回転マッサージ具１を脹ら脛ｇの患部に当て、床の上（図示せず）に転がすＲと、脹ら脛ｇの表面は刺激され、心地よいマッサージの効果がえられる。
【実施例６】
【００２８】
図９に示すように、回転マッサージ具１にスタンドを設けてもよい。回転マッサージ具１の凹凸ローラー４ａ，４ｂの両側は該凹凸ローラー４ａ，４ｂの径よりやや大きい径を有し、表面に樹脂をコーティングした円弧状表面を有する中空平滑ローラー７が貫通した直管に回転自在に嵌合されており、直管に嵌合した軸１２がスタンド１３の軸受け１４に載置されている。軸１２は合成樹脂製で、軸受け１４は金属製であることが好適である。
【００２９】
椅子に座って（図示せず）、回転マッサージ具１に脚を乗せ、床の上（図示せず）で回転マッサージ具１を転がすと、足の裏は刺激され、心地よいマッサージの効果がえられる。
【００３０】
本発明の回転マッサージ具は、以上の実施例以外にも、凹凸ローラーの表面に、突起を設けたり、溝を刻設したりすることもできる。
【産業上の利用可能性】
【００３１】
本発明の回転マッサージ具は、介護スポ−ツ用品としての需要とともに、ギフト用品等としての展開も期待できる。
【図面の簡単な説明】
【００３２】
【図１】本発明の実施例１を示す回転マッサージ具の、正面からみた斜視図である。
【図２】直管を両端から圧縮して、凹凸ローラーと平滑ローラーを中心軸にカシメる状態を示す説明図である。
【図３】表面円弧状の中空体からなる、本発明の回転マッサージ具の凹凸ローラーの説明図で、（イ）は平面図、（ロ）は（イ）をＡ−Ａ´線で切断した断面図である。
【図４】本発明の回転マッサージ具に足の裏を乗せてマッサージする状態を示した説明図である。
【図５】本発明の回転マッサージ具を肩に乗せてマッサージする状態を示した説明図である。
【図６】本発明の回転マッサージ具を腰の患部に当ててマッサージする状態を示した説明図である。
【図７】本発明の回転マッサージ具を腕の患部に当ててマッサージする状態を示した説明図である。
【図８】本発明の回転マッサージ具を膨ら脛の患部に当ててマッサージする状態を示した説明図である。
【図９】本発明の回転マッサージ具のスタンドの斜視図である。
【符号の説明】
【００３３】
１        回転マッサージ具
２        直管
３        くぼみ
４ａ，ｂ  凹凸ローラー
５        截頭中空球体
６        樹脂コーティング
７        平滑ローラー
Ｆ        床面上
Ｐ        圧縮
Ｒ        転がす
Ｓ        カシメ
Ｔ        円弧状の凸片
ａ        足裏
ｇ        脹ら脛
ｋ        肩
ｏ        腰
ｕ        腕
【図１】
2013153809.tif 000003
【図２】
2013153809.tif 000004
【図３】
2013153809.tif 000005
【図４】
2013153809.tif 000006
【図５】
2013153809.tif 000007
【図６】
2013153809.tif 000008
【図７】
2013153809.tif 000009
【図８】
2013153809.tif 000010
【図９】
2013153809.tif 000011